(57)【要約】【課題】制御モジュールを接続するだけでシステムとして機能する配線システムを提供する。【解決手段】建造物の壁面に組み込まれ、建造物内に配設された電力線Ｌ１及び情報線Ｌ２の両方に接続されるゲート装置３と、各々がゲート装置３を介して電力線Ｌ１及び情報線Ｌ２に接続され、電力線Ｌ１からの電力の受け取り或いは情報線Ｌ２を介しての情報の受け取り或いは情報線Ｌ２を介しての情報の受け渡しのうち少なくとも何れかを行うことによって所定の機能を発揮する複数の機能モジュール５，６と、電力線Ｌ１及び情報線Ｌ２にゲート装置３を介して接続された機能モジュール５，６に着脱可能に接続され、電力線Ｌ１及び情報線Ｌ２にゲート装置３を介して接続された複数の機能モジュール５，６のうち少なくとも一つを制御する制御モジュール７とを備える。【選択図】図１
2007174381.tif 000002
【特許請求の範囲】
【請求項１】
建造物の壁面に組み込まれ、建造物内に配設された電力線及び情報線の両方に接続されるゲート装置と、各々がゲート装置を介して電力線及び情報線に接続され、電力線からの電力の受け取り或いは情報線を介しての情報の受け取り或いは情報線を介しての情報の受け渡しのうち少なくとも何れかを行うことによって所定の機能を発揮する複数の機能モジュールと、電力線及び情報線にゲート装置を介して接続された機能モジュールに着脱可能に接続され、電力線及び情報線にゲート装置を介して接続された複数の機能モジュールのうち少なくとも一つを制御する制御モジュールとを備えることを特徴とする配線システム。
【請求項２】
制御モジュールは、機能モジュールの所定の機能を発揮させることによって機能モジュールに特定の動作を行わせる制御手段を有し、該制御手段によって生成される制御情報を複数の機能モジュールへ送信することを特徴とする請求項１記載の配線システム。
【請求項３】
ゲート装置は複数有り、各ゲート装置は、建造物の壁面において複数箇所に組み込まれるとともに建造物内に配設された電力線及び情報線の両方に接続され、各機能モジュールは、各ゲート装置を介して電力線及び情報線に接続され、制御モジュールは、各々が電力線及び情報線にゲート装置を介して接続された複数の機能モジュールのうち少なくとも二つを制御することを特徴とする請求項１又は請求項２記載の配線システム。
【請求項４】
機能モジュールは、表示手段或いは報知手段或いは操作手段のうち少なくとも何れか１つを有することを特徴とする請求項１乃至３のうち何れかに記載の配線システム。
【請求項５】
少なくとも１つの機能モジュールは、他の機能モジュールへ送電及び他の機能モジュールとの間の信号伝送を形成するためのコネクタを有し、他の機能モジュールと着脱可能に接続されることを特徴とする請求項１乃至４のうち何れかに記載の配線システム。
【請求項６】
隣接する機能モジュール同士は非接触にて電力の受け取り或いは情報の受け取り或いは情報の受け渡しのうち少なくとも何れか１つを行うことを特徴とする請求項１乃至４のうち何れかに記載の配線システム。
【請求項７】
制御モジュールは、機能モジュールと非接触にて通信するように構成されていることを特徴とする請求項１乃至６の何れかに記載の配線システム。
【請求項８】
制御モジュールを収納するための収納部を有するアダプタモジュールを備え、アダプタモジュールが機能モジュールに接続されることにより、制御モジュールが機能モジュールに接続されることを特徴とする請求項１乃至７の何れかに記載の配線システム。
【請求項９】
アダプタモジュールは、機能モジュールに着脱可能に構成されていることを特徴とする請求項８に記載の配線システム。
【請求項１０】
ゲート装置は電力路接続口と情報路接続口とを備え、機能モジュールは電力路接続口と情報路接続口とに接続可能なコネクタを備え、電力路接続口と情報路接続口とにコネクタが接続されることにより、ゲート装置に機能モジュールが接続されることを特徴とする請求項１乃至９の何れかに記載の配線システム。
【請求項１１】
電力路接続口と情報路接続口とはモジュール化されて接続部を形成しており、コネクタは接続部に適合するようにモジュール化されていることを特徴とする請求項１０に記載の配線システム。
【発明の詳細な説明】
【技術分野】
【０００１】
本発明は、情報と負荷の電力とを同時に送ることができる配線システムに関する。
【背景技術】
【０００２】
端末器を通じて負荷の操作（監視）制御を行うシステムには、端末器へ中央監視装置から複極のベースバンド信号からなる伝送信号を時分割多重によって送り、各端末器では、この伝送信号を利用して情報の授受を行うと共に端末回路部の電源を得るシステムがあった（下記特許文献１参照）。
【０００３】
そしてこのシステムでは、埋め込み型の配線器具用に規格されているスイッチボックスとこれに対応する取付枠とを用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また、取付窓間に設けた導電片を両側の取付窓に設けた操作用端末器のリード片を接触させることで、一方の操作用端末器（スイッチボックス側）から他方の操作用端末器へ信号線を送り配線する構成となっている。
【特許文献１】特許第３１３６００６号公報（段落番号０００４，０００５、００１５、図１、図３７）
【発明の開示】
【発明が解決しようとする課題】
【０００４】
ところで、上述のシステムは、伝送信号により端末器の端末回路部に電力を供給することができるものの、例えば信号線の電流容量等の制限から制御用端末器により制御される負荷への電力供給は、夫々の設置場所において商用電源から供給する構成であった。そのため、２線の信号線を各端末器間で接続するだけでよいため、信号線について省配線化を図ることができるものの、負荷に対する電源線の配置が従前のままであるため、制御用端末器の設置場所が限定されると言った問題があった。
【０００５】
しかも、端末器は監視対象からのデータの取り込みか或いは制御データに基づいた負荷の制御かの機能しかなく、それ自体が独自の機能を持つものではなかった。また、通常のコンセントやスイッチ等については、電力供給のみがなされ、信号線は接続されていなかった。この場合、ユーザが将来的に、例えば、インターホン通話システムや防災システム、或いは防犯システムなどのような特定の機能を有するシステムを追加、拡張しようとする場合には、それぞれのシステムごとに、別途信号線を配線して所要の端末器を設置しなければならず、配線設置作業が大掛かりとなって手間取るだけでなく、設置後の配線も大変煩雑なものとなってしまう。
【０００６】
本発明は、上述の点に鑑みて為されたもので、その目的とするところは、制御モジュールを接続するだけでシステムとして機能する配線システムを提供することにある。
【課題を解決するための手段】
【０００７】
本発明は、上記課題を解決すべくなされたものであり、本発明に係る配線システムは、建造物の壁面に組み込まれ、建造物内に配設された電力線及び情報線の両方に接続されるゲート装置と、各々がゲート装置を介して電力線及び情報線に接続され、電力線からの電力の受け取り或いは情報線を介しての情報の受け取り或いは情報線を介しての情報の受け渡しのうち少なくとも何れかを行うことによって所定の機能を発揮する複数の機能モジュールと、電力線及び情報線にゲート装置を介して接続された機能モジュールに着脱可能に接続され、電力線及び情報線にゲート装置を介して接続された複数の機能モジュールのうち少なくとも一つを制御する制御モジュールとを備えることを特徴とする。
【０００８】
該構成の配線システムにあっては、ゲート装置は、建造物内に配設された電力線及び情報線の両方に接続されており、各機能モジュールは、ゲート装置を介して電力線及び情報線に接続される。そして、機能モジュールに制御モジュールを接続すると、各機能モジュールがゲート装置に接続するだけで機能するように構成されている場合であってもゲート装置に接続するだけでは機能しないように構成されている場合であっても、制御モジュールは、電力線及び情報線にゲート装置を介して接続された複数の機能モジュールのうち少なくとも一つを制御する。
【０００９】
特に、制御モジュールは、機能モジュールの所定の機能を発揮させることによって機能モジュールに特定の動作を行わせる制御手段を有し、該制御手段によって生成される制御情報を複数の機能モジュールへ送信することが好ましい。制御手段によって生成される制御情報が複数の機能モジュールへ送信されると、それを受信した各機能モジュールは、制御情報に基づいて、所定の機能を発揮して特定の動作を行う。よって、制御モジュールによる機能モジュールの制御が可能となる。
【００１０】
更に、ゲート装置は複数有り、各ゲート装置は、建造物の壁面において複数箇所に組み込まれるとともに建造物内に配設された電力線及び情報線の両方に接続され、各機能モジュールは、各ゲート装置を介して電力線及び情報線に接続され、制御モジュールは、各々が電力線及び情報線にゲート装置を介して接続された複数の機能モジュールのうち少なくとも二つを制御することが好ましい。
【００１１】
各ゲート装置は、それぞれ電力線及び情報線の両方に接続されているので、各ゲート装置は、互いに電力線及び情報線にて接続されている。また、各機能モジュールは、各ゲート装置を介して電力線及び情報線に接続されるので、各機能モジュールは、互いに電力線及び情報線にて接続されている。このような機能モジュールに制御モジュールを接続すると、各機能モジュールと制御モジュールとは、電力線及び情報線にて接続されるので、制御モジュールは、機能モジュールのうち少なくとも二つを制御することができる。従って、離れた場所に設けられている機能モジュールであっても制御モジュールで制御してシステムとして機能させることができる。
【００１２】
また更に、機能モジュールは、表示手段或いは報知手段或いは操作手段のうち少なくとも何れか１つを有することが好ましい。
【００１３】
また、少なくとも１つの機能モジュールは、他の機能モジュールへ送電及び他の機能モジュールとの間の信号伝送を形成するためのコネクタを有し、他の機能モジュールと着脱可能に接続されることが好ましい。
【００１４】
更に、隣接する機能モジュール同士は非接触にて電力の受け取り或いは情報の受け取り或いは情報の受け渡しのうち少なくとも何れか１つを行うことが好ましく、機能モジュール間の接触不良を抑制することができ、機能モジュール間の電力の伝達や情報信号の授受を確実に行うことができる。
【００１５】
また更に、制御モジュールは、機能モジュールと非接触にて通信するように構成されていることが好ましく、制御モジュールと機能モジュールとの間の接触不良を抑制することができ、制御モジュールの制御手段による制御を確実に行うことができる。
【００１６】
また、制御モジュールを収納するための収納部を有するアダプタモジュールを備え、アダプタモジュールが機能モジュールに接続されることにより、制御モジュールが機能モジュールに接続されることが好ましい。制御モジュールを機能モジュールに直接接続するように構成する必要がないので、制御モジュールの汎用性を向上させることができる。
【００１７】
更に、アダプタモジュールは、機能モジュールに着脱可能に構成されていることが好ましく、アダプタモジュールと機能モジュールとの間に容易に機能モジュールを追加することができ、配線システムの機能拡張が容易になる。
【００１８】
また更に、ゲート装置は電力路接続口と情報路接続口とを備え、機能モジュールは電力路接続口と情報路接続口とに接続可能なコネクタを備え、電力路接続口と情報路接続口とにコネクタが接続されることにより、ゲート装置に機能モジュールが接続されることが好ましい。ゲート装置の電力路接続口と情報路接続口とに対して機能モジュールのコネクタを接続するだけで電力路と情報路とを同時に確保することができる。
【００１９】
更に、電力路接続口と情報路接続口とはモジュール化されて接続部を形成しており、コネクタは接続部に適合するようにモジュール化されていることが好ましい。機能モジュールをどのゲート装置にも接続できるのでレイアウトフリーで施工性に優れた配線システムとすることができる。
【発明の効果】
【００２０】
このように、本発明に係る配線システムにあっては、ゲート装置を介して電力線及び情報線に接続された機能モジュールに制御モジュールを接続すると、制御モジュールは、機能モジュールがのうち少なくとも一つを制御するので、制御モジュールを接続するだけでシステムとして機能するという効果を奏する。
【発明を実施するための最良の形態】
【００２１】
以下、本発明に係る配線システムの一実施形態について図面を参酌しつつ説明する。
本実施形態における配線システム１は、図１及び図２に示すように、建造物内の壁面に埋め込み配設しているスイッチボックスＳＢとスイッチボックスＳＢに取り付けられ電力線Ｌ１及び情報線Ｌ２の両方に接続されるゲート装置３とゲート装置３に接続される機能モジュール５，６と機能モジュール５，６に接続される制御モジュール７とを備える。
【００２２】
電力線Ｌ１と情報線Ｌ２とは、分電盤２を介して建造物内に配設される。具体的には、電力線Ｌ１は、商用電源ＡＣに接続され分電盤２内の主幹ブレーカＭＢと分岐ブレーカＢＢとを介して建物の天井や側壁や床等を構成する壁内に配線されることによって屋内に引き込まれている。また、情報線Ｌ２は、外部のインターネット網ＮＴに接続されゲートウェイＧＷ（必要に応じてルータ、ハブ）を介して壁内に配線されることによって屋内に引き込まれている。
【００２３】
スイッチボックスＳＢは、図２に示すように、例えばＪＩＳで規格化された大角形の１個モジュール寸法の埋め込み型の配線器具が３個取り付けることができる１連の取付枠４に対応して規格化されたスイッチボックスＳＢである。スイッチボックスＳＢの上部からは分電盤２から配線されてくる電力線Ｌ１及び情報線Ｌ２が導入されている。尚、スイッチボックスＳＢは、室内の天井面やエアコン口等のようなハイポジションＨＰに設けられるものと、壁スイッチ等で推奨される高さ位置（ミドルポジションＭＰ）に設けられるものと、足元付近（ローポジションＬＰ）に設けられるものとに区分される。
【００２４】
取付枠４は、図３に示すように、中央に器具取り付け用の窓孔４ａを備え、この窓孔４ａに後方からゲート装置３の前部を嵌め込み、例えばネジ等によって固定するようになっている。尚、スイッチボックスＳＢを用いず、埋め込み孔を開口した壁パネルに取り付ける場合には、所謂挟み金具で壁パネルを挟持させて取り付けたり木ねじを用いて取り付けたりする。
【００２５】
ゲート装置３は、取付枠４を介してスイッチボックスＳＢに取り付けてられている。よって、ゲート装置３は、ハイポジションＨＰ、ミドルポジションＭＰ、及びローポジションＬＰのそれぞれの位置に設置可能である。ゲート装置３は、図４に示すように、壁内に配線された電力線Ｌ１及び情報線Ｌ２のそれぞれに接続される電力路接続口３１と情報路接続口３２とを有する。具体的には、ゲート装置３の後部（スイッチボックスＳＢの奥壁側）には、電力線Ｌ１及び情報線Ｌ２をそれぞれ接続する上下一対の端子部を上下に２組３３，３４，３３’，３４’並べて配備している。これらの端子部３３，３４，３３’，３４’に電力線Ｌ１と情報線Ｌ２とが接続されることにより、ゲート装置３は、電力線Ｌ１及び情報線Ｌ２の両方に接続される。また、ゲート装置３の前部には、電力線Ｌ１と電気的に接続される接触部を備え且つ前方開口した電力路接続口３１と、情報線Ｌ２と電気的に接続される接触部を備え且つ前方開口した情報路接続口３２とが設けられている。
【００２６】
ここで、電力路接続口３１と情報路接続口３２とは、両者間の間隔及び内部の接触部の配列、開口の形状をモジュール化（定型化或いは規格化）しており、これによって接続部３Ａを構成している。ゲート装置３は、この接続部３ＡがスイッチボックスＳＢの前面開口側に配置されるように取り付けられる。
【００２７】
機能モジュール５，６のうちゲート装置３に直接接続される基本機能モジュール５は、表示手段或いは報知手段或いは操作手段のうち少なくとも何れか１つを有しており、各手段に応じた機能を構成するようモジュール本体５ａの内部に電気回路が構成されている。具体的には、図４に示すように、電力被接触部５１を介して接続される商用電源ＡＣを所定電圧に降下させるとともに周波数を高くし、この高い周波数に変換した低圧交流電源をコア５０１に巻装したコイル５０２に印加するＡＣ／ＡＣコンバータ５０３と、低圧交流電源を整流平滑後、安定した直流電圧からなる内部回路の動作電源＋Ｖを得る直流電源部５０４と、情報被接触部５２を介して接続される情報線Ｌ２を通じて双方向に伝送される情報信号を送受信部５０５と、情報線Ｌ２を介して受信される情報信号をＥ／Ｏ変換して発光素子ＬＥＤを通じて送出するするＥ／Ｏ変換部５０６と、光信号で構成される情報信号を、受光素子ＰＤで受光してＯ／Ｅ変換して送受信部５０５に渡すＯ／Ｅ変換部５０７と、機能モジュール５の機能に対応した機能部５０８と、機能部５０８から送られてくる情報信号をＩ／Ｏインターフェースを通じて取り込み、送信先へ情報信号として送信させる処理を行う機能や、送受信部５０５で受信した情報信号を取り込み、Ｉ／Ｏインターフェースを通じて機能部５０８へ送信する機能を備えた演算処理部５０９とを備えている。
【００２８】
コイル５０２及びコア５０１は、後述するように、基本機能モジュール５と連結する拡張機能モジュール６或いは制御モジュール７に電力を非接触で供給するための給電手段を構成するトランスの一次側となる電磁結合部を構成するもので、連結する拡張機能モジュール６或いは制御モジュール７側に設けたコイル６０２，７０２を巻回したコア６０１，７０１にコア５０１が磁気結合してトランス作用によりコイル６０２，７０２側に低圧交流電源電圧を誘起させて電源供給を行うようになっている。ここで、ＡＣ／ＡＣコンバータ５０３により商用周波数よりも周波数が高い交流電源に変換することで、電磁結合部によるトランス構成の小型化を図っている。そして、直流電源部５０４から内部回路の動作電源＋Ｖを得るようになっている。因みに、図６に示すように、モジュール本体５ａの側面のうち、電磁結合部を構成するコア５０１の先端が近接配置されている領域が磁気結合部Ｘとなっている。
【００２９】
一方、Ｅ／Ｏ変換部５０６の発光素子ＬＥＤは、後述するように、基本機能モジュール５と隣接する拡張機能モジュール６或いは制御モジュール７に、情報信号を光信号により非接触で伝達するためのもので、連結された拡張機能モジュール６或いは制御モジュール７側のＯ／Ｅ変換部６０７，７０７に設けた受光素子ＰＤに対置される。また、Ｏ／Ｅ変換部５０７の受光素子ＬＥＤは、隣接する拡張機能モジュール６或いは制御モジュール７から光信号により伝達されてくる情報信号を受け取るためのもので、連接する拡張機能モジュール６或いは制御モジュール７側のＥ／Ｏ変換部６０６，７０６の発光素子ＬＥＤに対置される。尚、コア５０１とコイル５０２とからなる電磁結合部は、図４には１組しか示していないが、実際には電気的に並列な２組備える。また、Ｅ／Ｏ変換部５０６の発光素子ＬＥＤ，Ｏ／Ｅ変換部５０７の受光素子ＰＤについても、夫々に別の発光素子ＬＥＤ、受光素子ＰＤを接続しており、モジュール本体５ａの両側において側壁に近接する内部位置に夫々１組ずつ夫々配置している。ここで、図６に示すように、発光素子ＬＥＤの発光部及び受光素子ＰＤの受光部が対向するモジュール本体５ａの側壁部位は、光信号が透過可能なように透明部Ｙとしてある。
【００３０】
尚、モジュール本体５ａの両側では、受光素子ＬＥＤと、発光素子ＰＤとの位置が上、下逆の位置になるように配置され、例えば、右側では受光素子ＬＥＤが上になり発光素子ＰＤが下になるように配置し、左側では、受光素子ＬＥＤが下になり発光素子ＰＤが上になるように配置している。そして、電磁結合部を構成するコア５０１の先端部の配置位置と、受光素子ＬＥＤ及び発光素子ＰＤの配置位置の上下間隔は定型化している。
【００３１】
基本機能モジュール５は、図６に示すように、合成樹脂製で扁平なモジュール本体５ａを備え、その背面部には、ゲート装置３の接続部３Ａに適合するコネクタ５Ａが設けられている。具体的には、コネクタ５Ａは、図４に示すように、基本機能モジュール５の背面部に電力路接続口３１に嵌合する電力被接触部５１と情報路接続口３２に嵌合する情報被接触部５２とを備えている。尚、このコネクタ５Ａは、ゲート装置３の接続部３Ａに対応した形態となるようにモジュール化している。
【００３２】
基本機能モジュール５は、コネクタ５Ａの電力被接触部５１及び報被接触部５２をゲート装置３の接続部３Ａの電力路接続口３１及び情報路接続口３２にそれぞれ結合させることによって、ゲート装置３に着脱可能に接続され、スイッチボックスＳＢの前面開口を覆うと共に、周部のフランジをスイッチボックスＳＢの前面開口周辺の壁面に重ねた状態となる。そして、基本機能モジュール５は、その状態で上下両部の中央にそれぞれ穿孔している取付孔５１０に取り付けねじ（図示せず）を前面部側からそれぞれ挿通させて取付枠４の上下枠に設けたねじ孔４ｃに螺入締結することによって、スイッチボックスＳＢに取付枠４を介して取り付けられる。
【００３３】
また、基本機能モジュール５のモジュール本体５ａの前面部には、連結用溝部５１１が設けられている。連結用溝部５１１は、図１１に示すように、幅の広い幅広溝５１１ａと幅の狭い幅狭溝５１１ｂとで構成されている。具体的には、幅広溝５１１ａと幅狭溝５１１ｂとは、モジュール本体５ａの幅方向に伸びる溝であり、モジュール本体５ａの上下両端部にそれぞれ設けられる。また、連結用溝部５１１は、幅広溝５１１ａと幅狭溝５１１ｂとを中央の仕切壁５１２で左右に二分するように形成している。このように、基本機能モジュール５は、後述する拡張機能モジュール６或いは制御モジュール７に着脱可能となっている。
【００３４】
尚、図４ではゲート装置３の両接続口３１，３２及び基本機能モジュール５のコネクタ５Ａの被接続部５１，５２を縦方向で示しているが、実際は横方向になっている。
【００３５】
機能モジュールのうち基本機能モジュール５に着脱可能に接続される拡張機能モジュール６は、基本機能モジュール５と同様に、表示手段或いは報知手段或いは操作手段のうち少なくとも何れか１つを有しており、各手段に応じた機能を構成するようモジュール本体６ａの内部に電気回路が構成されている。その回路の構成について、基本機能モジュール５の構成と同一の構成である部分が存するので、同一の部分については説明を省略し、異なる構成の部分について説明する。
【００３６】
即ち、拡張機能モジュール６は、図５に示すように、両電磁結合部のコイル６０２間を接続する線路には、ＡＣ／ＤＣコンバータは設けられておらず、線路が分岐して直流電源部６０３が接続されている。この直流電源部６０３から内部回路の動作電源＋Ｖを得るようになっている。また、拡張機能モジュール６は、Ｏ／Ｅ変換部６０７からの電気信号からなる情報信号を受け取ると共に、電気信号からなる情報信号をＥ／Ｏ変換部６０６へ送り出す情報信号送受信部６０４を備えている。
【００３７】
また、拡張機能モジュール６は、そのモジュール本体６ａの高さ方向、横幅方向及び両側面の形状については、基本機能モジュール５のモジュール本体５ａの高さ方向、横幅方向及び両側面の形状とそれぞれ同じ形状である。一方、モジュール本体６ａの後面は、図７（ｂ）及び（ｃ）に示すように、平坦な面に形成して壁面に沿わせることができるように構成されている。従って、本実施形態では、拡張機能モジュール６には、コネクタは設けられていない。尚、拡張機能モジュール６にコネクタを設けて、ゲート装置３に着脱可能としてもよい。
【００３８】
また、モジュール本体６ａの上下両端部には、幅広溝６１１ａと幅狭溝６１１ｂとで構成される連結用溝部６１１が設けられている。連結用溝部６１１の形状については、基本機能モジュール５の連結用溝部５１１と同じ形状である。但し、図７（ａ）乃至（ｃ）に示すように、拡張機能モジュール６の連結用溝部６１１には、溝の開口を開閉する蓋部６１３が設けられており、連結体２０を装着する場合や外す場合には蓋部６１３を開き、連結体２０の装着状態を保持する場合には蓋部６１３を閉じるように構成されている。これにより、拡張機能モジュール６は、基本機能モジュール５或いは、後述する制御モジュール７に着脱可能になっている。
【００３９】
ここで、拡張機能モジュール６のモジュール本体６ａの側面に磁気結合部Ｘ及び透明部Ｙが形成される位置は、基本機能モジュール５の側面の磁気結合部Ｘ及び透明部Ｙの位置と合うように規格化され、拡張機能モジュール６同士を連結させたとき或いは基本機能モジュール５と拡張機能モジュール６とを連結させたときに対向する側面側の磁気結合部Ｘ，Ｘ同士及び、透明部Ｙ，Ｙ同士が夫々対向するようになっている。つまり、夫々の給電手段の接続口同士、情報信号の伝達手段の接続口同士が接続された状態となる。
【００４０】
このように機能モジュールは、ゲート装置３に直接接続する基本機能モジュール５とゲート装置３に接続した基本機能モジュール５に接続することによってゲート装置３に接続する拡張機能モジュール６とに分類されるのであるが、内部の回路を構成する機能部５０８，６０８の構成によって、電力線からの電力の受け取り或いは情報線を介しての情報の受け取り或いは情報線を介しての情報の受け渡しのうち少なくとも何れかを行って所定の機能を発揮する。即ち、機能モジュールは、機能部５０８，６０８の構成によって、表示手段或いは報知手段或いは操作手段のうちの何れかの機能を有する。本実施形態では、表示手段として情報線Ｌ２を通じて伝送される情報信号に基づいて映像の入力又は出力のうち少なくとも何れか一方の動作を行う映像モジュール８と、報知手段として情報線Ｌ２を通じて伝送される情報信号に基づいて音声の入力又は出力のうち少なくとも何れか一方の動作を行う音声モジュール９と、操作手段として情報線Ｌ２を通じて伝送される情報信号に基づいて操作部からの操作入力を情報線Ｌ２に出力する操作モジュール１０とを用いた場合について説明する。尚、一つの機能モジュールにおいて、例えば表示手段と報知手段とを有するなどのように、複数の手段を有するよう構成してもよい。
【００４１】
映像モジュール８を構成する機能モジュールの機能部８０８は、図８に示すように、後述の制御モジュール７の機能部７０８（ＣＰＵ部７０８ａ）から送信される制御情報としての制御信号によって動作が制御され、画面の切替等の操作を行う操作スイッチＳＷａからの操作入力を監視し、操作信号をＩ／Ｏインターフェースを介して制御モジュール７に送信すると共に、Ｉ／Ｏインターフェースを介して送られてくる画像データを伸長復号して液晶表示部ＬＣＤに表示されるＣＰＵ部８０８ａを備えている。この映像モジュール８のモジュール本体８ａは、図１６に示すように、３個のモジュール寸法の器体を幅方向に２個並べた大きさに形成されており、前面の略中央に液晶表示部ＬＣＤを配置すると共に、液晶表示部ＬＣＤの下側に操作スイッチＳＷａの操作ボタンを配置してある。
【００４２】
音声モジュール９を構成する機能モジュールの機能部９０８は、図９に示すように、後述の制御モジュール７の機能部７０８（ＣＰＵ部７０８ａ）から送信される制御信号によって動作が制御され、マイクＭＣにより電気信号に変換された音声信号を変調し、Ｉ／Ｏインターフェースを介して制御モジュール７に送信すると共に、Ｉ／Ｏインターフェースを介して送られてくる音声信号を復調し、スピーカＳＰから出力させるＣＰＵ部９０８ａを備えている。また、音声モジュール９は、図１６に示すように、モジュール本体９ａの内部にスピーカＳＰ及びマイクＭＣを収納してあり、モジュール本体９ａの前面には複数個の音孔を貫設してある。
【００４３】
操作モジュール１０を構成する機能モジュールの機能部１００８は、図１０に示すように、後述の制御モジュール７の機能部７０８（ＣＰＵ部７０８ａ）から送信される制御信号によって動作が制御され、通話ボタンスイッチＳＷｂ、呼出音量スイッチＳＷｃ及び室内呼スイッチＳＷｄからの操作入力を監視し、操作信号をＩ／Ｏインターフェースを介して制御モジュール７へ送信するＣＰＵ部１００８ａを備えている。そして、この操作モジュール１０は、モジュール本体１０ａの前面に通話スイッチＳＷｂ、呼出音量スイッチＳＷｃ及び室内呼スイッチＳＷｄの各操作ボタンを配置してある。
【００４４】
制御モジュール７は、ゲート装置３に接続された基本機能モジュール５又は基本機能モジュール５に接続された拡張機能モジュール６に着脱可能に接続され、機能モジュール５，６のうち少なくとも一つを制御する。本実施形態では、制御モジュール７は、図１２に示すように、コア７０１と、コア７０１に巻装したコイル７０２と、低圧交流電源を整流平滑後、安定した直流電圧からなる内部回路の動作電源＋Ｖを得る直流電源部７０３と、双方向に伝送される情報信号を送受信する送受信部７０５と、情報線Ｌ２を介して受信される情報信号をＥ／Ｏ変換して発光素子ＬＥＤを通じて送出するするＥ／Ｏ変換部７０６と、光信号で構成される情報信号を受光素子ＰＤで受光してＯ／Ｅ変換して送受信部７０５に渡すＯ／Ｅ変換部７０７と、Ｏ／Ｅ変換部７０７からの電気信号からなる情報信号を受け取ると共に、電気信号からなる情報信号をＥ／Ｏ変換部７０６へ送り出す情報信号送受信部７０４と、制御手段としての機能部７０８と、機能部７０８から送られてくる情報信号をＩ／Ｏインターフェースを通じて取り込み、送信先へ情報信号として送信させる処理を行う機能や、送受信部で受信した情報信号を取り込み、Ｉ／Ｏインターフェースを通じて機能部７０８へ送信する機能を備えた演算処理部７０９とを備えている。
【００４５】
制御モジュール７の制御手段としての機能部７０８は、機能モジュール５，６の所定の機能を発揮させることによって機能モジュール５，６に特定の動作を行わせるものであり、映像モジュール８と音声モジュール９と操作モジュール１０とを連携動作させる動作プログラムを格納している。制御モジュール７は、機能部７０８によって生成される制御情報としての制御信号を適宜映像モジュール８と音声モジュール９と操作モジュール１０へ送信して、映像モジュール８と音声モジュール９と操作モジュール１０とをそれぞれ制御し、それぞれのモジュール８，９，１０を相互に連携させて特定の動作させることができるように構成されている。具体的には、制御モジュール７の機能部７０８は、図１３に示すように、映像モジュール８と音声モジュール９と操作モジュール１０とを連携動作させる動作プログラム（例えば、インターホン通話用のプログラムや防災用のプログラムや防犯用のプログラムなど）が予め格納された例えばＲＯＭなどの記憶部７０８ｂと、記憶部７０８ｂに格納された動作プログラムを実行して各機能モジュール５，６を連携動作させるＣＰＵ部７０８ａとで構成される。
【００４６】
コイル７０２及びコア７０１は、後述するように、制御モジュール７と連結する機能モジュール５，６に電力を非接触で供給するための給電手段を構成するトランスの一次側となる電磁結合部を構成するもので、連結する機能モジュール５，６側に設けたコイル５０２，６０２を巻回したコア５０１，６０１にコア７０１が磁気結合してトランス作用によりコイル５０１，６０１側に低圧交流電源電圧を誘起させて電源供給を行うようになっている。また、両電磁結合部のコイル７０２間を接続する線路には、直流電源部７０３を接続し、この直流電源部７０３から内部回路の動作電源＋Ｖを得るようになっている。因みに、図１４（ｂ）及び（ｃ）に示すように、モジュール本体７ａの側面のうち、電磁結合部を構成するコア７０１の先端が近接配置されている領域が磁気結合部Ｘとなっている。
【００４７】
一方、Ｅ／Ｏ変換部７０６の発光素子ＬＥＤは、後述するように、制御モジュール７と隣接する機能モジュール５，６に、情報信号を光信号により非接触で伝達するためのもので、連結された機能モジュール５，６側のＯ／Ｅ変換部５０７，６０７に設けた受光素子ＰＤに対置される。また、Ｏ／Ｅ変換部７０７の受光素子ＬＥＤは、隣接する機能モジュール５，６から光信号により伝達されてくる情報信号を受け取るためのもので、連接する機能モジュール５，６側のＥ／Ｏ変換部５０６，６０６の発光素子ＬＥＤに対置される。因みに、図１４（ｂ）及び（ｃ）に示すように、発光素子ＬＥＤの発光部及び受光素子ＰＤの受光部が対向するモジュール本体７ａの側壁部位は、光信号が透過可能なように透明部Ｙとしてある。
【００４８】
ここで、制御モジュール７のモジュール本体７ａの側面に磁気結合部Ｘ及び透明部Ｙが形成される位置は、機能モジュールの側面の磁気結合部Ｘ及び透明部Ｙの位置と合うように定型化され、制御モジュール７同士を連結させたとき或いは機能モジュール５，６と制御モジュール７とを連結させたときに対向する側面側の磁気結合部Ｘ，Ｘ同士及び、透明部Ｙ，Ｙ同士が夫々対向するようになっている。つまり、夫々の給電手段の接続口同士、情報信号の伝達手段の接続口同士が接続された状態となる。
【００４９】
尚、モジュール本体７ａの両側では、受光素子ＬＥＤと、発光素子ＰＤとの位置が上、下逆の位置になるように配置され、例えば、右側では受光素子ＬＥＤが上になり発光素子ＰＤが下になるように配置し、左側では、受光素子ＬＥＤが下になり発光素子ＰＤが上になるように配置している。そして、電磁結合部を構成するコア７０１の先端部の配置位置と、受光素子ＬＥＤ及び発光素子ＰＤの配置位置の上下間隔は定型化している。
【００５０】
制御モジュール７のモジュール本体７ａの後面は、図１４（ｂ）及び（ｃ）に示すように、平坦な面に形成して壁面に沿わせることができるように構成されている。従って、本実施形態では、制御モジュール７には、上述のようなゲート装置３の接続部３Ａに接続可能なコネクタは設けられていない。尚、コネクタを設けて、ゲート装置３に直接接続することができるように構成することもできる。
【００５１】
また、モジュール本体７ａの上下両端部には、幅広溝７１１ａと幅狭溝７１１ｂとで構成される連結用溝部７１１が設けられている。連結用溝部７１１の形状については、拡張機能モジュール６の連結用溝部６１１と同じ形状であるので説明を省略する。これにより、制御モジュール７は、機能モジュール５，６に着脱可能になっている。
【００５２】
以上のような構成のゲート装置３と基本機能モジュール５と拡張機能モジュール６と制御モジュール７とを適宜接続する。具体的には、図４及び図６に示すように、ゲート装置３の接続部３Ａに基本機能モジュール５のコネクタ５Ａを接続する。これにより、基本機能モジュール５はゲート装置３を介して電力線Ｌ１及び情報線Ｌ２の両方に接続され、ゲート装置３に基本機能モジュール５を接続するだけで、電力路と情報路とを同時に確保することができる。また、ゲート装置３の接続部３Ａと基本機能モジュール５のコネクタ５Ａとは、互いに適合するようにそれぞれモジュール化しているので、基本機能モジュール５をどのゲート装置３にも接続でき、レイアウトフリーで施工性に優れた配線システム１とすることができる。
【００５３】
そして、基本機能モジュール５の連結用溝部５１１に、連結体２０の片側半分を仕切壁５１２に当たるまで嵌め込む。次に、連結体２０の残り半分を拡張機能モジュール６の連結用溝部６１１に嵌め込む。更に、拡張機能モジュール６の連結用溝部６１１に、連結体２０の片側半分を仕切壁６１２に当たるまで嵌め込む。次に、連結体２０の残り半分を制御モジュール７の連結用溝部７１１に嵌め込む。
【００５４】
このようにして各々のモジュール５，６，７を接続すると、基本機能モジュール５と拡張機能モジュール６とは、対向する側面側の磁気結合部Ｘ，Ｘ同士及び、透明部Ｙ，Ｙ同士が接続された状態となる。よって、基本機能モジュール５と拡張機能モジュール６とは、非接触給電及び非接触通信することができる。また、隣接する拡張機能モジュール６同士についても、同様に、対向する側面側の磁気結合部Ｘ，Ｘ同士及び、透明部Ｙ，Ｙ同士が接続された状態となって非接触給電及び非接触通信することができる。更に、制御モジュール７と拡張機能モジュール６についても、同様に、対向する側面側の磁気結合部Ｘ，Ｘ同士及び、透明部Ｙ，Ｙ同士が接続された状態となって非接触給電及び非接触通信することができる。このように、各モジュール間で非接触給電及び非接触通信すると、接触不良を抑制することができ、電力の伝達や情報信号の授受を確実に行うことができる。そして、制御モジュール７を機能モジュール５，６に接続することにより、以下のように、制御モジュール７に格納されている動作プログラムに対応したシステムとしての機能が得られる。
【００５５】
例えば、制御モジュール７の機能部７０８に格納されている動作プログラムが、インターホン通話用のプログラムである場合、図１６に示すように、表示手段を有する基本機能モジュール５（映像モジュール８）と報知手段を有する拡張機能モジュール６（音声モジュール９）と操作手段を有する拡張機能モジュール６（操作モジュール１０）とを準備することにより、インターホン通話をすることができる。即ち、制御モジュール７の機能部７０８が、表示手段を有する機能モジュールと報知手段を有する機能モジュールと操作手段を有する機能モジュールとをそれぞれ制御して連携動作させることにより、インターホン通話機能を有する配線システム１が形成される。
【００５６】
この場合、来訪者が図示しないドアホンの呼出ボタンを押操作すると、このドアホンから情報線Ｌ２を介して送出された呼出信号とドアホンのカメラで撮影された画像データとが制御モジュール７の送受信部７０５で受信され、Ｉ／Ｏインターフェースを介して機能部７０８に入力される。制御モジュール７の機能部７０８では、ＣＰＵ部７０８ａが呼出音を鳴動させる制御信号を生成して、来訪者が操作したドアホンに対して予め対応関係が設定された音声モジュール９へ上記制御信号を送出させると共にドアホンのカメラで撮影された画像データを対応する映像モジュール８に送出させる。この時、音声モジュール９では、機能部９０８を構成するＣＰＵ部９０８ａが、送受信部９０５及びＩ／Ｏインターフェースを介して呼出音を鳴動させる制御信号を受け取り、この制御信号に基づいてスピーカＳＰから呼出音を発生させることにより音声モジュール９の機能を発揮する。また、映像モジュール８では、機能部８０８を構成するＣＰＵ部８０８ａが、送受信部８０５及びＩ／Ｏインターフェースを介して画像データを受け取り、この画像データを伸長復号して液晶表示部ＬＣＤに表示させることにより映像モジュール８の機能を発揮する。
【００５７】
次に、音声モジュール９のスピーカＳＰから発せられた呼出音を聞き、映像モジュール８の液晶表示部ＬＣＤに映し出された画像で来訪者を確認した家人が、来訪者と通話するために操作モジュール１０の通話ボタンＳＷｂを押操作すると、操作モジュール１０のＣＰＵ部１００８ａが通話スイッチＳＷｂからの操作入力をもとに通話スイッチＳＷｂの操作を報知する情報信号を生成し、この情報信号をＩ／Ｏインターフェース部及び送受信部１００５を介して制御モジュール７へ送信する。この情報信号を受け取った制御モジュール７の機能部７０８では、ドアホンと通話モジュールとの間の回線を形成するための制御信号を生成し、Ｉ／Ｏインターフェース部及び送受信部７０５を介して対応する音声モジュール９へ制御信号を送出する。音声モジュール９では、機能部９０８のＣＰＵ部９０８ａが、制御モジュール７からの制御信号に基づいて、マイクＭＣで電気信号に変換された音声信号を変調してドアホンに送出すると共にドアホンから送出された音声信号を復調してスピーカＳＰから出力させており、ドアホンとの間でインターホン通話を行うことができる。尚、表示手段として液晶表示部ＬＣＤ、報知手段としてスピーカＳＰやマイクＭＣ及び操作手段通話スイッチＳＷｂを兼ね備えた一つの機能モジュールを準備してインターホン通話を形成することもできる。
【００５８】
尚、操作モジュール１０の呼出音量ボタンＳＷｃを押操作すると、ＣＰＵ部１００８ａが、呼出音量スイッチＳＷｃからの操作入力をもとに、呼出音の音量を変化させる操作信号を生成して、この制御モジュール７へ送信する。この時、制御モジュール７では、ＣＰＵ部７０８ａが呼出音の音量を調整する制御信号を生成して、音声モジュール９に送出しており、この制御信号を受け取った音声モジュール９では、ＣＰＵ部９０８ａがスピーカＳＰから出力する呼出音の音量を所望の大きさに制御するようになっている。
【００５９】
また、例えば、制御モジュール７の機能部７０８に格納されている動作プログラムが防災用のプログラムである場合には、図１７に示すように、表示手段を有する基本機能モジュール５（映像モジュール８）と報知手段を有する拡張機能モジュール６（音声モジュール９）と操作手段を有する拡張機能モジュール６（操作モジュール１０）とセンサ手段としてセンサ手段を有する拡張機能モジュール６（防災用センサ入力モジュール１１）とを準備することにより、防災設備を形成することができる。即ち、制御モジュール７の機能部７０８が、表示手段を有する機能モジュールと報知手段を有する機能モジュールと操作手段を有する機能モジュールとセンサ手段を有する機能モジュールとをそれぞれ制御して連携動作させることにより、防災機能を有する配線システム１が形成される。
【００６０】
センサ手段としての防災用センサ入力モジュール１１は、図１７に示すように、そのモジュール本体１１ａが３個モジュール寸法の器体を幅方向に２個並べた大きさに形成されており、前面の略中央に熱又は煙の感知部１１ｂを設けると共に感知部１１ｂの下側に警報停止ボタン１１ｃを設けている。また、防災用センサ入力モジュール１１の機能部１１０８は、図１８に示すように、制御モジュール７の機能部７０８（ＣＰＵ部７０８ａ）から情報路を介して送信される制御信号によって動作が制御され、感知部１１ｂ（防災用センサ）からの発報信号及び警報停止ボタン１１ｃの操作入力を監視し、感知部１１ｂから発報信号が入力されるか、又は、警報停止ボタン１１ｃからの操作入力があると、発報信号及び操作信号をＩ／Ｏインターフェースを介して制御モジュール７へ送信するＣＰＵ部１１０８ａを備えている。尚、センサ手段としては、防災用センサ入力モジュール１１には限られず、ゲート装置３などに接続しない構成の各種センサを採用することができる。
【００６１】
この場合、防災用センサ入力モジュール１１の感知部１１ｂが火災の発生を検知して発報信号を発生すると、防災用センサ入力モジュール１１の機能部１１０８が感知部１１ｂからの発報信号をＩ／Ｏインターフェースを介して制御モジュール７へ送信する。制御モジュール７の機能部７０８では、ＣＰＵ部７０８ａが情報路を通じて送信された発報信号を受信すると、警報音を発生させる制御信号を生成して音声モジュール９に出力すると共に火災警報を画面上に表示させる制御信号を生成して映像モジュール８に出力する。この時、音声モジュール９では、機能部９０８が制御モジュール７から送出された制御信号に基づいて、スピーカＳＰから警報音を発生させることで、家人に火災発生を報知する。また、映像モジュール８では、機能部８０８が制御モジュール７から送出された制御信号に基づいて、液晶表示部ＬＣＤに火災警報メッセージを表示させることで、家人に火災発生を報知する。
【００６２】
その後、防災用センサ入力モジュール１１の警報停止ボタン１１ｃが押操作されると、防災用センサ入力モジュール１１の機能部１１０８が警報停止ボタン１１ｃの操作信号をＩ／Ｏインターフェースを介して制御モジュール７へ送信する。この時、制御モジュール７の機能部７０８では、ＣＰＵ部７０８ａが情報路を通じて送信された操作信号を受信すると、報知動作を停止させる制御信号を音声モジュール９及び映像モジュール８に出力し、音声モジュール９及び映像モジュール８のそれぞれの機能部８０８，９０８により報知動作を停止させるのである。尚、本実施形態では、防災用センサ入力モジュール１１に警報動作を停止させるボタン１１ｃを設けているが、操作モジュール１０に警報停止ボタンを設け、この警報停止ボタンの操作に応じて報知動作を停止するようにしてもよい。
【００６３】
また、例えば、制御モジュール７の機能部７０８に格納されている動作プログラムが防犯用のプログラムである場合、図１９に示すように、表示手段を有する基本機能モジュール５（映像モジュール８）と報知手段を有する拡張機能モジュール６（音声モジュール９）と操作手段を有する拡張機能モジュール６（操作モジュール１０）とセンサ手段としてセンサ手段を有する拡張機能モジュール６（防犯用センサ入力モジュール１２）とを準備することにより、防犯設備を形成することができる。即ち、制御モジュール７の機能部７０８が、表示手段を有する機能モジュールと報知手段を有する機能モジュールと操作手段を有する機能モジュールとセンサ手段を有する機能モジュールとをそれぞれ制御して連携動作させることにより、防犯機能を有する配線システム１が形成される。
【００６４】
センサ手段としての防犯用センサ入力モジュール１２は、図１９に示すように、その本体が３個モジュール寸法の器体を幅方向に２個並べた大きさに形成されており、本体前面の左側には警戒状況を絵文字（ピクトサイン）で表示するサイン表示部１２ｂが配置され、本体前面の右側には警戒の解除又はセットをそれぞれ行うための解除ボタン１２ｃ及びセットボタン１２ｄがそれぞれ配置されている。また、防犯用センサ入力モジュール１２の機能部１２０８は、図２０に示すように、制御モジュール７の機能部７０８（ＣＰＵ部７０８ａ）から情報路を介して送信される制御信号によって動作が制御され、電気錠やクレセント錠の開閉状態を検知するセンサなどからなる防犯センサ１２ｅの発報信号及び解除ボタン１２ｃ、セットボタン１２ｄの操作入力を監視し、防犯センサ１２ｅから発報信号が入力されるか、又は、解除ボタン１２ｃ、セットボタン１２ｄからの操作入力があると、発報信号及び操作信号をＩ／Ｏインターフェースを介して制御モジュール７へ送信するＣＰＵ部１２０８ａを備えている。尚、センサ手段としては、防犯用センサ入力モジュール１２には限られず、ゲート装置３などに接続しない構成の各種防犯センサを採用することができる。
【００６５】
この場合、防犯用センサ入力モジュール１２に接続された防犯センサ１２ｅが侵入などの異常を検知して発報信号を発生すると、防犯用センサ入力モジュール１２の機能部１２０８（ＣＰＵ部１２０８ａ）が防犯センサ１２ｅからの発報信号をＩ／Ｏインターフェースを介して制御モジュール７へ送信する。制御モジュール７の機能部７０８では、ＣＰＵ部７０８ａが情報路を通じて送信された発報信号を受信すると、警報音を発生させる制御信号を生成して音声モジュール９に出力すると共に侵入警報などの警報を画面上に表示させる制御信号を生成して映像モジュール８に出力する。この時、音声モジュール９では、機能部９０８が制御モジュール７から送出された制御信号に基づいて、スピーカＳＰから警報音を発生させることで、家人に異常発生を報知する。また、映像モジュール８では、機能部８０８が制御モジュール７から送出された制御信号に基づいて、液晶表示部ＬＣＤに侵入警報などの警報メッセージを表示させることで、家人に異常発生を報知する。
【００６６】
以上のような構成の配線システム１にあっては、ゲート装置３は、建造物内に配設された電力線Ｌ１及び情報線Ｌ２の両方に接続されており、基本機能モジュール５は、ゲート装置３を介して電力線Ｌ１及び情報線Ｌ２に接続されている。そして、基本機能モジュール５と拡張機能モジュール６とは、非接触給電及び非接触通信しているので、拡張機能モジュール６は、ゲート装置３と基本機能モジュール５とを介して電力線Ｌ１及び情報線Ｌ２に接続されている。そして、拡張機能モジュール６に制御モジュール７を接続すると、制御モジュール７は機能モジュール５，６を制御し、各機能モジュール８，９，１０は各々映像機能、音声機能、操作機能等を発揮して制御モジュール７の機能部７０８に格納されている動作プログラムに応じて動作するので、制御モジュール７を接続するだけでシステムとして機能させることができる。
【００６７】
また、制御モジュール７は、インターホン通話用や防災設備用等の動作プログラムを格納した機能部７０８を有し、これによって生成される制御信号を各機能モジュール８，９，１０へ送信することによって、それを受信した各機能モジュールは、制御信号に基づいて、映像機能、音声機能、操作機能等の機能を発揮してインターホン通話や防災設備や防犯設備などのように動作プログラムに応じて動作する。
【００６８】
また更に、インターホン通話用の制御モジュール７や防災センサ用の制御モジュール７や防犯センサ用の制御モジュール７等の異なる制御モジュール７を準備している。従って、インターホン通話機能や防災機能や防犯機能等の多種多様な機能を有する配線システム１を構築することができ、また配線システム１の機能を必要に応じて取捨選択することができる。
【００６９】
また、電力線Ｌ１及び情報線Ｌ２を建物内の各所に先行的に配設していると、配線システム１のユーザが配線システム１の機能の追加や拡張などを欲した場合に、大掛かりな配線設置作業を要することなく、配線システム１の機能の追加や拡張などを容易にすることができる。即ち、本発明に係る配線システム１は、ユーザの将来的なニーズ（配線システム１の機能の追加や拡張など）に容易に対応できるのである。
【００７０】
更に、ゲート装置３として、従来のスイッチ口やコンセント口としての機能を設けることによって、ユーザのニーズに合わせて、従来の機能を確保しつつ、更に所望の機能を有する配線システム１を付加することができる。つまり、本発明に係る配線システム１は、フレキシブルな配線システム１となっている。
【００７１】
また更に、機能モジュール５，６として、映像モジュール８と音声モジュール９と操作モジュール１０等とを例えば建物のいくつかの部屋に設けておけば、インターホン通話用の制御モジュール７をこれらの機能モジュール５，６の何れかに接続するだけで、それぞれの機能モジュール５，６を、インターホン通話システムとして機能させることができる。従って、ユーザは、所望の配線システム１の機能に対応した制御モジュール７を準備さえすれば、予め設置されている機能モジュール５，６を利用して所望の機能を奏する配線システム１を構築することが可能となるのである。
【００７２】
尚、本実施形態では、制御モジュール７が直流電源部７０３と情報信号送受信部７０４と送受信部７０５とＥ／Ｏ変換部７０６とＯ／Ｅ変換部７０７と機能部７０８と演算処理部７０９とを備えている場合について説明したが、これに限られず、ＣＰＵ部７０８ａと記憶部７０８ｂとを有する機能部７０８のみで構成されていてもよい。この場合、制御モジュール７には、磁気結合部Ｘ及び透明部Ｙが形成されない。従って、制御モジュール７を機能モジュールに接続する際には、制御モジュール７を収納するための収納部１３ｂを有するアダプタモジュール１３を準備することができる。尚、機能モジュール５，６自体に収納部を設けた場合でもよい。
【００７３】
アダプタモジュール１３は、図２１及び図２２に示すように、そのモジュール本体１３ａ内部にコア１３１と、コア１３１に巻装したコイル１３２と、情報信号を送受信する情報信号送受信部１３４と、情報信号をＥ／Ｏ変換して発光素子ＬＥＤを通じて送出するするＥ／Ｏ変換部１３６と、光信号で構成される情報信号を受光素子ＰＤで受光してＯ／Ｅ変換して情報信号送受信部１３４に渡すＯ／Ｅ変換部１３７とを備えている。また、モジュール本体１３ａには、制御モジュール７を収納するための開閉自在の収納部１３ｂが設けられている。アダプタモジュール１３は、収納部１３ｂに機能部７０８のみの制御モジュール７を収納することにより制御モジュール７と電気的に接続され、制御モジュール７との間で給電及び情報の授受が行えるように構成されている。
【００７４】
そして、モジュール本体１３ａの側面のうち、電磁結合部を構成するコア１３１の先端が近接配置されている領域が磁気結合部Ｘとなっており、発光素子ＬＥＤの発光部及び受光素子ＰＤの受光部が対向するモジュール本体１３ａの側壁部位は、光信号が透過可能なように透明部Ｙとなっている。尚、アダプタモジュール１３のモジュール本体１３ａに連結用溝部１３１１を設け、連結体２０を介して機能モジュール５，６と着脱自在に構成してもよい。
【００７５】
このように、制御モジュール７を機能部７０８のみで構成し、アダプタモジュール１３に収納してアダプタモジュール１３を機能モジュール５，６に接続する構成とすることにより、制御モジュール７を小型化することが可能となるうえに、機能モジュール５，６に直接接続するように構成する必要がないので、制御モジュール７の汎用性を向上させることができる。また、機能モジュール５，６に着脱可能に構成されていると、アダプタモジュール１３と機能モジュール５，６との間に容易に別の機能モジュール５，６を追加することができ、配線システム１の機能拡張が容易になる。
【００７６】
また、本実施形態では、複数の機能モジュール５，６が一つのゲート装置３に接続されている場合について説明したが、これに限られず、ゲート装置３を複数設け、それぞれのゲート装置３に機能モジュール５，６を接続した場合であってもよい。この場合、図２３に示すように、それぞれのゲート装置３は、情報線Ｌ２で互いに繋がった状態となっているので、制御モジュール７からの制御信号は、情報線Ｌ２を通じて各ゲート装置３に接続されている機能モジュール５，６に送られ、その制御信号に基づいて機能モジュール５，６を制御することができる。
【００７７】
更に、本実施形態では、基本機能モジュール５と拡張機能モジュール６とは、非接触給電及び非接触通信している場合について説明したが、これに限らず、接触給電及び接触通信であってもよい。具体的には、例えば、基本機能モジュール５のモジュール本体５ａの側部にゲート装置３の接続部３Ａと同じ形状の接続部を設け、これと対応する拡張機能モジュール６のモジュール本体６ａの側部に上記接続部と適合するコネクタを設けた場合であってもよい。
【００７８】
また、本実施形態では、複数の機能モジュール５，６が一つのゲート装置３に接続されている場合について説明したが、これに限られず、ゲート装置３を複数設け、それぞれのゲート装置３に機能モジュール５，６を接続した場合であってもよい。この場合、各ゲート装置３は、それぞれ電力線Ｌ１及び情報線Ｌ２に接続されているので、各ゲート装置３は、互いに電力線Ｌ１及び情報線Ｌ２にて接続されている。また、各機能モジュールは、各ゲート装置３を介して電力線Ｌ１及び情報線Ｌ２に接続されるので、各機能モジュールは、互いに電力線Ｌ１及び情報線Ｌ２にて接続されている。そして、制御モジュール７のＣＰＵ部７０８ａは、装着部７０８ｃに装着された情報記憶媒体７０８ｂに格納されている動作プログラムを実行して、情報線Ｌ２を通じて機能モジュールを制御することができるので、例えば建物内の各部屋に機能モジュールを設置した場合のように、離れた場所に設けられている機能モジュールであっても制御モジュール７で制御してシステムとして機能させることができる。
【００７９】
更に、機能モジュール５，６は、制御モジュール７が接続されていない場合には、機能しない（動作しない）ように構成することも可能であり、逆に、制御モジュール７が接続されていなくても、機能する（動作する）ように構成することも可能である。
【００８０】
また更に、本実施形態では、複数の機能モジュール５，６全体で連携動作してシステムを形成する場合について説明したが、これに限られず、複数の機能モジュール５，６のうちの一部を連携動作させてもよい。
【００８１】
また、拡張機能モジュール６は、上下方向に接続できるように構成されていてもよい。
【図面の簡単な説明】
【００８２】
【図１】本発明の一実施形態に係る配線システムを示す構成説明図。
【図２】同配線システムの後方斜視図。
【図３】取付枠の正面図。
【図４】ゲート装置及び基本機能モジュールを示す構成説明図。
【図５】拡張機能モジュールを示す構成説明図。
【図６】ゲート装置及び基本機能モジュールを示す後方斜視図。
【図７】（ａ）は拡張機能モジュールの正面図、（ｂ）は拡張機能モジュールの左側面図、（ｃ）は拡張機能モジュールの右側面図。
【図８】映像モジュールの機能部を示す構成説明図。
【図９】音声モジュールの機能部を示す構成説明図。
【図１０】操作モジュールの機能部を示す構成説明図。
【図１１】機能モジュール同士の連結の状態を示す斜視図。
【図１２】制御モジュールを示す構成説明図。
【図１３】制御モジュールの機能部を示す構成説明図。
【図１４】（ａ）は制御モジュールの正面図、（ｂ）は制御モジュールの左側面図、（ｃ）は制御モジュールの右側面図。
【図１５】機能モジュールと制御モジュールの連結の状態を示す斜視図。
【図１６】インターホン通話用の配線システムを示す正面図。
【図１７】防災用の配線システムを示す正面図。
【図１８】防災用センサ入力モジュールの機能部を示す構成説明図。
【図１９】防犯用の配線システムを示す正面図。
【図２０】防犯用センサ入力モジュールの機能部を示す構成説明図。
【図２１】アダプタモジュールを示す斜視図。
【図２２】アダプタモジュールと制御モジュールとの接続状態を示す構成説明図。
【図２３】他の実施形態における配線システムを示す構成説明図。
【符号の説明】
【００８３】
１…配線システム、２…分電盤、３…ゲート装置、４…取付枠、５…基本機能モジュール、６…拡張機能モジュール、７…制御モジュール、８…映像モジュール、９…音声モジュール、１０…操作モジュール、１１…防災用センサ入力モジュール、１２…防犯用センサ入力モジュール、１３…アダプタモジュール、２０…連結体、ＡＣ…      商用電源、ＮＴ…ネットワーク網、Ｌ１…電力線、Ｌ２…情報線、ＳＢ…スイッチボックス、Ｘ…磁気結合部、Ｙ…透明部
【図１】
2007174381.tif 000003
【図２】
2007174381.tif 000004
【図３】
2007174381.tif 000005
【図４】
2007174381.tif 000006
【図５】
2007174381.tif 000007
【図６】
2007174381.tif 000008
【図７】
2007174381.tif 000009
【図８】
2007174381.tif 000010
【図９】
2007174381.tif 000011
【図１０】
2007174381.tif 000012
【図１１】
2007174381.tif 000013
【図１２】
2007174381.tif 000014
【図１３】
2007174381.tif 000015
【図１４】
2007174381.tif 000016
【図１５】
2007174381.tif 000017
【図１６】
2007174381.tif 000018
【図１７】
2007174381.tif 000019
【図１８】
2007174381.tif 000020
【図１９】
2007174381.tif 000021
【図２０】
2007174381.tif 000022
【図２１】
2007174381.tif 000023
【図２２】
2007174381.tif 000024
【図２３】
2007174381.tif 000025